(57)【要約】【課題】塗布材の粘度の影響を受けにくく、少人数でも安定的に且つ容易に、所定の施工幅及び施工厚さに塗布材の塗布が可能な塗布装置を提供する。【解決手段】塗布材３を収容可能な本体部４と、本体部４の進行方向Ｘ後方下部に開口して塗布材３を流出させる塗布材出口５と、塗布材出口５よりも後方において塗布材３を床面２に塗布する塗布手段６と、を備え、塗布手段６が、進行方向Ｘ後方に向かうに従い下方に傾斜した塗布板６１を備え、塗布材出口５の開口幅Ｃが施工幅Ａよりも狭く設けられ、塗布材出５口の開口高さＤが施工厚さＢよりも高く設けられ、塗布材出口５の開口面積Ｅ（Ｃ×Ｄ）を、床面２に塗布された塗布材３の断面積Ｆ（Ａ×Ｂ）で除した値（Ｅ／Ｆ）が１以上である。【選択図】図１
2016203092.tif 000002
【特許請求の範囲】
【請求項１】
被塗布面を進行しつつ前記被塗布面に塗布材を所定の施工幅Ａ且つ施工厚さＢで塗布する塗布装置であって、
前記塗布材を収容可能な本体部と、
前記本体部の進行方向後方下部に開口して前記塗布材を流出させる少なくとも一の塗布材出口と、
前記塗布材出口よりも後方において前記塗布材を被塗布面に塗布する塗布手段と、を備え、
前記塗布手段が、前記進行方向後方に向かうに従い下方に傾斜した塗布板を備え、
前記塗布材出口の開口幅Ｃが前記施工幅Ａよりも狭く設けられ、
前記塗布材出口の開口高さＤが前記施工厚さＢよりも高く設けられ、
前記塗布材出口の開口面積Ｅを、前記被塗布面に塗布された前記塗布材の断面積Ｆ（Ａ×Ｂ）で除した値（Ｅ／Ｆ）が１以上であることを特徴とする塗布装置。
【請求項２】
前記塗布材出口の開口高さＤが、前記施工厚さＢの１．２倍以上３倍以下であることを特徴とする請求項１に記載の塗布装置。
【請求項３】
前記塗布板の前記進行方向前方端部が、前記塗布材出口の開口よりも高い位置に配され、
前記塗布板の前記進行方向後方端部から前記被塗布面までの高さが、前記施工厚さＢと同じであることを特徴とする請求項１又は２のいずれか一項に記載の塗布装置。
【請求項４】
前記塗布手段が、前記塗布板の幅方向両側に設けられた一対の側板を備えることを特徴とする請求項１から３のいずれか一項に記載の塗布装置。
【請求項５】
前記一対の側板の間隔が、前記施工幅Ａと同じであることを特徴とする請求項４に記載の塗布装置。
【請求項６】
前記塗布材の粘度が、２３℃において５Ｐａ・ｓ以上であることを特徴とする請求項１から５のいずれか一項に記載の塗布装置。
【請求項７】
前記本体部が、前記塗布材を投入するためのホッパを備えることを特徴とする請求項１から６のいずれか一項に記載の塗布装置。
【請求項８】
手引きにより進行させることを特徴とする請求項１から７のいずれか一項に記載の塗布装置。
【発明の詳細な説明】
【技術分野】
【０００１】
本発明は、塗布装置に関する。
【背景技術】
【０００２】
従来、倉庫、工場、厨房などのコンクリート床に、耐摩耗性、耐薬性、耐熱性、防滑性、防塵性などの機能を付与すべく、機能性を付与する塗布材を床に流し延べ、塗床を施工する方法が知られている。
【０００３】
塗床の施工方法としては、未硬化の塗布材を床に流し延べ、ある程度均した後、コテを用いて平坦に仕上げる方法や、簡易アプリケータにて所定の膜厚に塗布する方法（特許文献１参照。）などがある。
【先行技術文献】
【特許文献】
【０００４】
【特許文献１】実用新案登録第３１５１９７８号公報
【発明の概要】
【発明が解決しようとする課題】
【０００５】
しかしながら、手仕上げで均等な膜厚にするためには、熟練した技能と体力が必要となる。また、塗布材として乾燥や硬化の早い材料を用いた場合には、乾燥や硬化が開始する前に塗布材を塗り拡げて平坦に仕上げなければならないため人数を要する。また、施工面積が広い場合にはさらに労力を要する。
【０００６】
さらに、簡易アプリケータを使用する場合、塗布材の流動性（粘度）によっては、簡易アプリケータに設けられた膜厚設定部の絞り（隙間）を塗床材料が自重によって通過しにくい。このため、必要とする量の塗布材が膜厚設定部の絞り（隙間）を通過できないことによるかすれが生じてしまい、塗布材を均等に塗り拡げることができないおそれがある。特許文献１に記載の技術のように、簡易アプリケータに攪拌機などを設けることにより塗布材の流動性を向上させる方法もあるが、その効果は十分ではなく、また別途駆動源なども必要となることから、作業性が劣るという問題があった。
【０００７】
本発明は、塗布材の粘度の影響を受けにくく、少人数でも安定的に且つ容易に、所定の施工幅及び施工厚さに塗布材の塗布が可能な塗布装置を提供することを目的とする。
【課題を解決するための手段】
【０００８】
請求項１に記載された発明は、上記目的を達成するために、被塗布面を進行しつつ前記被塗布面に塗布材を所定の施工幅Ａ且つ施工厚さＢで塗布する塗布装置であって、前記塗布材を収容可能な本体部と、前記本体部の進行方向後方下部に開口して前記塗布材を流出させる少なくとも一の塗布材出口と、前記塗布材出口よりも後方において前記塗布材を被塗布面に塗布する塗布手段と、を備え、前記塗布手段が、前記進行方向後方に向かうに従い下方に傾斜した塗布板を備え、前記塗布材出口の開口幅Ｃが前記施工幅Ａよりも狭く設けられ、前記塗布材出口の開口高さＤが前記施工厚さＢよりも高く設けられ、前記塗布材出口の開口面積Ｅを、前記被塗布面に塗布された前記塗布材の断面積Ｆ（Ａ×Ｂ）で除した値（Ｅ／Ｆ）が１以上であることを特徴とする塗布装置である。
【０００９】
請求項２に記載された発明は、請求項１に記載の塗布装置において、前記塗布材出口の開口高さＤが、前記施工厚さＢの１．２倍以上３倍以下であることを特徴とする。
【００１０】
請求項３に記載された発明は、請求項１又は２に記載の塗布装置において、前記塗布手段が、前記塗布板の幅方向両側に設けられた一対の側板を備えることを特徴とする。
【００１１】
請求項４に記載された発明は、請求項１から３のいずれか一項に記載の塗布装置において、前記塗布板の前記進行方向前方端部が、前記塗布材出口の開口よりも高い位置に配され、前記塗布板の前記進行方向後方端部から前記被塗布面までの高さが、前記施工厚さＢと同じであることを特徴とする。
【００１２】
請求項５に記載された発明は、請求項３又は４に記載の塗布装置において、前記一対の側板の間隔が、前記施工幅Ａと同じであることを特徴とする。
【００１３】
請求項６に記載された発明は、請求項１から５のいずれか一項に記載の塗布装置において、前記塗布材の粘度が、２３℃において５Ｐａ・ｓ以上であることを特徴とする。
【００１４】
請求項７に記載された発明は、請求項１から６のいずれか一項に記載の塗布装置において、前記本体部が、前記塗布材を投入するためのホッパを備えることを特徴とする。
【００１５】
請求項８に記載された発明は、請求項１から７のいずれか一項に記載の塗布装置において、手引きにより進行させることを特徴とする。
【発明の効果】
【００１６】
請求項１に記載の塗布装置は、本体部の進行方向後方下部に開口して塗布材を流出させる少なくとも一の塗布材出口を備え、塗布手段が、進行方向後方に向かうに従い下方に傾斜した塗布板を備え、塗布材出口の開口幅Ｃが施工幅Ａよりも狭く設けられ、塗布材出口の開口高さＤが施工厚さＢよりも高く設けられ、塗布材出口の開口面積Ｅを、被塗布面に塗布された前記塗布材の断面積Ｆ（Ａ×Ｂ）で除した値（Ｅ／Ｆ）が１以上である。請求項１に記載の塗布装置はこのような構成により、塗布材の粘度にかかわらず、塗布材が自重により塗布材出口から流出しやすく、また、塗布材出口から流出した塗布材を塗布手段により均等に塗り拡げることができる。従って、塗布材の粘度の影響を受けにくく、少人数でも安定して所定の施工幅及び施工厚さに塗布材を塗布することが可能となる。
【００１７】
請求項２に記載の塗布装置によれば、塗布材出口の開口高さＤが、施工厚さＢの１．２倍以上３倍以下である。このような構成により、塗布材の粘度が高い場合であっても、塗布材の自重により塗布材出口から塗布材が流出し易いため、塗布材の粘度の影響を受けることなく、より安定して施工幅Ａ且つ施工厚さＢで塗布材を塗布することができる。
【００１８】
請求項３に記載の塗布装置によれば、塗布板の進行方向前方端部が、塗布材出口の開口よりも高い位置に配され、塗布板の進行方向後方端部から被塗布面までの高さが、施工厚さＢと同じである。このような構成により、塗布材出口から流出する塗布材が塗布板を超えてしまうことを防ぎつつ、塗布手段により、施工厚さＢに塗布することが可能となる。
【００１９】
請求項４に記載の塗布装置によれば、塗布手段が、塗布板の幅方向両側に設けられた一対の側板を備える。このような構成により、塗布材出口から流出した塗布材を一対の側板より外側に広がることを抑制し、流出した塗布材が拡がりすぎることを防ぎつつ、より安定して施工幅Ａ且つ施工厚さＢで塗布材を塗布することができる。
【００２０】
請求項５に記載の塗布装置によれば、一対の側板の間隔が、施工幅Ａと同じである。このような構成により、塗布材出口から流出した塗布材を所定の施工幅Ａに塗布することが可能となる。
【００２１】
請求項６に記載の塗布装置によれば、５Ｐａ・ｓ以上と比較的粘度が大きい塗布材であっても出口から流出させることができる。
【００２２】
請求項７に記載の塗布装置によれば、本体部が、塗布材を投入するためのホッパを備える。このような構成により、塗布材が本体部の下部へ集まりやすく塗布材出口から流出しやすい。
【００２３】
請求項８に記載の塗布装置によれば、手引きにより進行させる。このような構成により、被塗布面に塗布された塗布材の塗布状態に応じて引き手が判断して進行速度や進行方向を調整することが可能となる。
【図面の簡単な説明】
【００２４】
【図１】本発明の一実施形態に係る塗布装置を示した斜視図である。
【図２】図１に示す塗布装置の部分拡大図である。
【図３】本発明の他の実施形態を示す図である。
【図４】本発明の他の実施形態を示す図である。
【図５】本発明の他の実施形態を示す図である。
【発明を実施するための形態】
【００２５】
以下、本発明の一実施形態に係る塗布装置について、図１及び図２を用いて説明する。図１は、本実施形態に係る塗布装置１を示した斜視図である。図２は、図１に示す塗布装置１の塗布材出口５の部分拡大図である。
【００２６】
本実施形態に係る塗布装置１は、被塗布面である床面２を進行しつつ床面２に塗布材３を所定の施工幅Ａ且つ施工厚さＢで塗布する。図１に示すように、塗布装置１は、本体部４と、本体部４に形成され塗布材３を流出させる塗布材出口５と、塗布材３を床面２に塗布する塗布手段６と、塗布装置１を操作するハンドル７と、を備えている。なお、図１において進行方向をＸとする。進行方向Ｘは、図１において矢印で示されている。また、幅方向とは、進行方向Ｘと直交し、且つ、床面２に平行な方向をいう。
【００２７】
施工幅Ａとは、図１及び図２に示すように、塗布材出口５から流出した塗布材３が床面２に流出し、塗布手段６により床面２に塗り拡げられた塗布材３の幅をいう。また、施工厚さＢとは、図１に示すように、塗布材出口５から流出した塗布材３が床面に流出し、塗布手段６により床面２に塗り拡げられた塗布材３の厚さをいう。なお、施工幅Ａ及び施工厚さＢは、床面２に塗り拡げられた乾燥又は硬化する前の塗布材３の幅及び厚さをいう。
【００２８】
塗布材３は、未硬化の粘性を有する塗料であり、床面２に塗布された後、乾燥や架橋反応などにより硬化し、床面２の表面に塗膜を形成する。当該塗膜により、床面２には、例えば、耐摩耗性、耐薬性、耐熱性、防滑性、防塵性などの機能が付与される。床面２としては、例えば、倉庫、工場、厨房などのコンクリート床などが挙げられる。
【００２９】
塗布材３を構成する成分としては、従来より塗料成分の１つとして用いられている各種の樹脂成分、例えば、エポキシ樹脂、ウレタン樹脂、アクリル樹脂などが挙げられる。
【００３０】
また、上記樹脂成分には、無機系着色顔料、有機系着色顔料、体質顔料、フィラー及び骨材などを配合してもよい。
【００３１】
無機系着色顔料としては、例えば、二酸化チタン、黄色酸化鉄、ベンガラなどが挙げられる。有機系着色顔料としては、例えば、フタロシアニンブルー、フタロシアニングリーン、アゾ顔料などが挙げられる。体質顔料としては、例えば、炭酸カルシウム、タルク、マイカ、バライト、沈降性硫酸バリウムなどが挙げられる。フィラーとしては、例えば、珪砂、寒水石、着色磁器質骨材、アルミナ骨材、自然石の粉砕物、陶器や磁器の粉砕物などが挙げられる。
【００３２】
また、上記樹脂成分には、例えば、骨材、可塑剤、硬化促進剤、顔料分散剤、湿潤剤、消泡剤、沈殿防止剤、表面調整剤や、レオロジーコントロール剤などを配合してもよい。塗布材３を構成する成分として、上記各種の樹脂成分や配合物を挙げたが、塗布材３を構成する成分はこれに限定されることはない。
【００３３】
塗布材３の粘度としては、例えば、２３℃においてＢ型粘度計であるブルックフィールド型粘度計を用いて測定した場合の測定値が５Ｐａ・ｓ以上のものを好適に用いることができる。また、流動性の低いモルタル材料についても好適に用いることができる。このような粘度の塗布材３を用いた場合であっても、粘度の影響を受けることなく、より安定して塗布材３を所定の施工幅Ａ且つ施工厚さＢに塗布することができる。
【００３４】
本体部４は、塗布材３を収容する容器であり、下側が窄まった四角錐台の形状のホッパである。本体部４の進行方向Ｘの後方側に位置する背面部４１の下部には、塗布材出口５である略長方形の開口が設けられている。図１において、塗布材出口５は、背面部４１の幅方向略中央部に、幅方向に延びて設けられている。
【００３５】
塗布材出口５は、図２に示すように、その開口が、開口幅Ｃ及び開口高さＤに形成されている。開口幅Ｃは、施工幅Ａより狭く設けられている。また、開口高さＤは、施工厚さＢよりも高く設けられており、施工厚さＢの１．２倍以上３倍以下に形成されている。
【００３６】
塗布材出口５の開口面積Ｅ（Ｃ×Ｄ）を、床面２に施工幅Ａ及び施工厚さＢで塗布された塗布材３の進行方向Ｘと直交する方向の断面積Ｆ（Ａ×Ｂ）で除した値（Ｅ／Ｆ）は１以上である。
【００３７】
本体部４において塗布材出口５が複数設けられる場合の開口幅Ｃ、開口高さＤ及び開口面積Ｅ（Ｃ×Ｄ）について、図３を用いて説明する。例えば塗布材出口５が３つ設けられた場合、各開口の開口幅Ｃ１、開口幅Ｃ２及び開口幅Ｃ３の合計値を開口幅Ｃとする。また、上側の辺から下側の辺までの高さを開口高さＤとする。さらに、３つの塗布材出口５の開口面積を合計したものを開口面積Ｅとする。
【００３８】
塗布手段６は、塗布材出口５よりも後方において、塗布材３を床面２に塗布する。塗布手段６は、図１及び図２に示すように、塗布材３を床面２に塗り拡げる塗布板６１と、塗布板６１の幅方向両側に設けられた一対の側板６２，６２と、を備えている。塗布板６１は、長方形板状の部材であり、幅方向と平行に延びて配され、進行方向Ｘの後方に向かうに従い、下方に傾斜するように設けられている。塗布板６１は、進行方向Ｘの前方端部６１ａが塗布材出口５と隙間を空けて配されている。また、塗布板６１の進行方向Ｘの前方端部６１ａは、塗布材出口５の開口よりも高い位置に配され、塗布板６１の後方端部６１ｂは、当該後方端部６１ｂから床面２までの高さが、施工厚さＢと同じになるように配されている。
【００３９】
一対の側板６２，６２は、床面２と直交した板状の部材であり、本体部４の下部の幅方向両端部から進行方向Ｘの後方側に向かって進行方向Ｘと平行に立設して設けられている。一対の側板６２，６２は、背面部４１寄りの根元部分は略長方形の板状に形成されており、先端部に向かうに従い、下方に傾斜して設けられている。また、一対の側板６２，６２の間隔は、施工幅Ａと同じに形成されている。塗布板６１は、その幅方向の両端の辺と、一対の側板６２，６２の傾斜が形成された辺とが重なるように配され、一対の側板６２，６２の間に掛け渡されている。
【００４０】
ハンドル７は、塗布装置１を操作するものであり、ハンドル７を持ち塗布装置１を進行方向Ｘに手引きすることができる。
【００４１】
次に、上述した塗布装置１の動作の一例について図１及び図２を用いて説明する。塗布装置１には、あらかじめ調整した未硬化の塗布材３が本体部４に投入される。塗布材３が本体部４の下部に到達すると、塗布材３は、塗布材出口５から流出を開始する（図２）。流出した塗布材３の量は、塗布材３を施工幅Ａ且つ施工厚さＢに床面２に塗布するのに十分な量となっている。流出した塗布材３は、塗布板６１の下側であって一対の側板６２，６２間に流れ込み、床面２に拡がっていく。ハンドル７を持ち、塗布装置１を進行方向Ｘに進行させると、塗布板６１も進行方向Ｘに進行し、塗布板６１が塗布材３を床面２に塗り拡げて塗布していく。また、一対の側板６２，６２が、塗布材３が幅方向に広がるのを抑制し、塗布材３を施工幅Ａに形成する。塗布された塗布材３は乾燥や硬化により床面２に所定の機能を有する塗膜を形成し、塗床の施工が完了する。
【００４２】
本実施形態に係る塗布装置１は、塗布材出口５の開口が、開口幅Ｃ及び開口高さＤに形成され、開口幅Ｃは施工幅Ａより狭く設けられており、開口高さＤは、施工厚さＢよりも高く設けられ、塗布材出口５の開口面積Ｅ（Ｃ×Ｄ）を、床面２に塗布された塗布材３の断面積Ｆ（Ａ×Ｂ）で除した値（Ｅ／Ｆ）が１以上である。このような構成により、塗布材３の粘度が高い場合であっても、塗布材３が自重により塗布材出口５から流出しやすく、また、所定の施工幅Ａ且つ施工厚さＢで塗布するに十分な量の塗布材３を、塗布材３の自重により塗布材出口５から安定して流出させることができる。
【００４３】
値（Ｅ／Ｆ）は、実用的には２以下である。また、塗布材３が比較的低粘度である場合には、値（Ｅ／Ｆ）は１．０から１．２であり、比較的高粘度である場合には、値（Ｅ／Ｆ）は１．３から２．０が適正である。当該値（Ｅ／Ｆ）が１未満であると、塗布材出口５から流出する塗布材３の量が、所定の施工幅Ａ且つ施工厚さＢで塗布するために必要とされる量を下回るか、進行方向Ｘへの移動速度を極端に遅くしなければかすれが生じるおそれがある。
【００４４】
また、本実施形態に係る塗布装置１は、塗布材出口５よりも後方に設けられた塗布手段６の塗布板６１が、進行方向Ｘの後方に向かうに従い、下方に傾斜するように設けられている。このような構成により、塗布装置１を進行方向Ｘに進行させることによって、塗布板６１が塗布材出口５から流出した塗布材３を、所定の施工幅Ａ且つ施工厚さＢとなるように床面２に均等に塗り拡げ、平坦とすることができる。従って、本実施形態に係る塗布装置１は、塗布材３の粘度の影響を受けにくく、少人数でも安定して所定の施工幅Ａ且つ施工厚さＢで塗布材３を塗布することができる。
【００４５】
また、本実施形態に係る塗布装置１は、開口高さＤが、施工厚さＢよりも高く設けられており、施工厚さＢの１．２倍以上３倍以下に形成されている。このような構成により、塗布材３の粘度の影響を受けることなく、より安定して塗布材３を施工幅Ａ且つ施工厚さＢに塗布することが可能となる。開口高さＤが施工厚さＢの１．２倍以上であると、塗布材３の粘度が高い場合であっても、塗布材３の自重により塗布材出口５から塗布材３が流出し易く、より安定して施工幅Ａ且つ施工厚さＢで塗布材３を塗布することができる。また、開口高さＤが施工厚さＢの３倍以下であると、塗布材３が塗布材出口５から出過ぎることがなく、より安定して施工幅Ａ且つ施工厚さＢで塗布材３を塗布することができる。
【００４６】
また、本実施形態に係る塗布装置１は、塗布板６１の進行方向Ｘの前方端部６１ａが、塗布材出口５の開口よりも高い位置に配され、塗布板６１の後方端部６１ｂから床面２までの高さが、施工厚さＢと同じになるように配されている。このような構成により、塗布手段６により、塗布材出口５から流出した塗布材３が塗布板６１を超えてしまうことを防ぎつつ、塗布材３を施工厚さＢに塗布することが可能となる。
【００４７】
また、本実施形態に係る塗布装置１は、塗布手段６が、塗布板６１の幅方向両側に設けられた一対の側板６２，６２を備え、一対の側板６２，６２の間隔が、施工幅Ａと同じに形成されている。このような構成により、塗布材出口５から流出した塗布材３を一対の側板６２，６２より外側に広がることを抑制し、塗布手段６により、塗布材３を施工幅Ａに塗布することが可能となる。
【００４８】
また、本体部４が、塗布材３を投入するためのホッパに形成されている。このような構成により、塗布材３が本体部４の下部へ集まりやすく塗布材出口５から流出しやすい。
【００４９】
また、本実施形態に係る塗布装置１は、手引きにより進行させる。このような構成により、床面２に塗布された塗布材３の塗布状態に応じて引き手が判断して進行速度や進行方向を調整することが可能となる。
【００５０】
なお、前述した実施形態は本発明の代表的な形態を示したに過ぎず、本発明は、当該実施形態に限定されるものではない。即ち、当業者は、従来公知の知見に従い、本発明の骨子を逸脱しない範囲で種々変形して実施することができる。かかる変形によってもなお本発明の塗布装置の構成を具備する限り、勿論、本発明の範疇に含まれるものである。
【００５１】
例えば、上記実施形態において塗布材出口５の開口の形状は略長方形の構成としたが、塗布材３を流出し易い形状であればこれに限定されることはない。例えば、図４に示すように半円形状であってもよく、図５に示すように三角形状であってもよい。図４に示すように、塗布材出口５の開口の形状が半円形状であって複数ある場合には、背面部４１を正面から見た際に一番左側に設けられた開口の円弧と背面部４１の下側の辺との交点のうち左側の交点から、一番右側に設けられた開口の円弧と背面部４１の下側の辺との交点のうち右側の交点までの幅を開口Ｃとする。また、各開口の円弧のうち最も高い位置（頂上部）から背面部４１の下側の辺の位置までの高さを開口高さＤとする。さらに、３つの半円形状の塗布材出口５の開口面積を合計したものを開口面積Ｅとする。
【００５２】
図５に示すように、塗布材出口５の開口の形状が三角形状であって複数ある場合には、背面部４１を正面から見た際に一番左側に設けられた開口の三角形の左下の頂点から、一番右側に設けられた開口の三角形の右下の頂点までの幅を開口Ｃとする。また、各開口の三角形のうち上側の頂点から背面部４１の下側の辺の位置までの高さを開口高さＤとする。さらに、３つの三角形状の塗布材出口５の開口面積を合計したものを開口面積Ｅとする。
【００５３】
また、上記実施形態において開口高さＤは、施工厚さＢの１．２倍以上３倍以下に形成されている構成としたが、施工厚さＢよりも高く設けられていればこれに限定されることはない。
【００５４】
また、上記実施形態において塗布手段６は、塗布板６１の幅方向両側に設けられた一対の側板６２，６２を備える構成としたが、これに限定されることはなく、一対の側板６２，６２を備えていなくてもよく、一対でなくどちらか一方の側板６２のみを備える構成としてもよい。さらに、一対の側板６２，６２の間隔は、施工幅Ａと同じに形成されていなくてもよく、例えば、施工幅Ａよりも広く形成されていてもよい。
【００５５】
また、上記実施形態において塗布板６１は、長方形の略板状の部材であり、幅方向と平行に延びて配される構成としたが、進行方向Ｘの後方に向かうに従い、下方に傾斜する面を有し、塗布材３を塗り拡げられればこれに限定されることはない。
【００５６】
また、上記実施形態において塗布板６１は、進行方向Ｘの前方端部６１ａが塗布材出口５と隙間を空けて配されている構成としたが、これに限定されることはなく、隙間を空けずに配されていてもよい。
【００５７】
また、上記実施形態において塗布材３は、床面２に塗布された後、乾燥や架橋反応などにより硬化し、床面２の表面に塗膜を形成する構成としたが、これに限定されることはなく、乾燥や硬化をしなくてもよい。さらに、塗布材３は塗膜を形成し、床面２に耐摩耗性、耐薬性、耐熱性、防滑性、防塵性などの機能を付与する構成としたが、これに限定されることはなく、機能性を付与するものでなくてもよく、また、上記機能以外の機能を付与するものとしてもよい。
【００５８】
また、上記実施形態において本体部４は、先端部が底面と略平行な面で切り取られた略四角錐を上下反対とした形状のホッパであるとしたが、これに限定されることはない。例えば、本体部４がホッパに形成されておらず、本体部４内にホッパを備える構成としてもよい。また、本体部４は略四角錐形状でなくてもよく、三角錐形状、円錐形状、四角柱形状、三角柱形状などでもよい。
【００５９】
また、上記実施形態において塗布装置１は、ハンドル７を備える構成としたが、これに限定されることはなく、ハンドル７を備えていなくてもよい。また、上記本実施形態において塗布装置１は、手引きにより進行する構成としたが、これに限定されることはなく、例えばモータ等の駆動源及び車輪等を設けて、それにより自走する構成としてもよい。
【００６０】
また、上記実施形態において塗布装置１の塗布対象を床面２としたが、床面２以外に塗布することとしてもよい。例えば、板状部材を床面２に置き、板状部材の表面に塗布材３を塗布してもよいし、道路に塗布する構成としてもよい。
【符号の説明】
【００６１】
１                  塗布装置
２                  床面（被塗布面）
３                  塗布材
４                  本体部
５                  塗布材出口
６                  塗布手段
６１                塗布板
６１ａ              前方端部
６１ｂ              後方端部
６２                側板
７                  ハンドル
Ａ                  施工幅
Ｂ                  施工厚さ
Ｃ                  開口幅
Ｄ                  開口高さ
Ｅ                  開口面積
Ｆ                  断面積
【図１】
2016203092.tif 000003
【図２】
2016203092.tif 000004
【図３】
2016203092.tif 000005
【図４】
2016203092.tif 000006
【図５】
2016203092.tif 000007